(57)【要約】  他の足指のためのポケット（複数）（Ｂ）から分かれた親指を含むためのポケット（Ａ）を含む足部（Ｐ）を有するストッキングまたはソックス（Ｎ）。そこで、少なくとも一つの内側の補強材（Ｃ）は、前記足部（Ｐ）に一体的に取り付けられ、完全にまたは部分的に前記ポケット（Ａ）、足部（Ｐ）の内側の部分（Ｍ）、および、後外側または横方向の足部（Ｐ）の部分（Ｌ）に固定された足部（Ｐ）の後方部分またはかかと（Ｔ）を囲み、前記ポケット（Ａ）の前方部分で支えるようになり、このことにより外反屈に反作用し、中足指節関節（Ｐ２）および足の第一中足骨に対応する内側の部分で支えることで、内側の屈折に反作用する。【選択図】図２ｂ
2010518898.tif 000002
【特許請求の範囲】
【請求項１】
足の全部または一部および可能であれば脚を覆うのに適している足部（Ｐ）を含む新規な弾力性のあるまたは弾力性のないストッキングまたはソックス（Ｎ）であって、
他の足指のためのポケット（複数）（Ｂ）から分かれた親指（または母指）を含むためのポケット（Ａ）と、該足部（Ｐ）に一体的に取り付けられる領域またはバンドを含み、かつ、該親指のための該ポケット（Ａ）の基部で少なくとも一つの位置（Ｃ１）から、足根骨領域の前内側の３番目に対応する少なくとも一つの他の位置（Ｃ２）まで該足部（Ｐ）の内側の部分を囲む少なくとも一つの内側の補強材（Ｃ）とを含むことにおいて特徴付けられ、そこで該内側の補強材（Ｃ）が、外反屈に反作用して該ポケット（Ａ）上で該中足指節関節（Ｐ２）に対応する該内側の部分で、および、内側の屈折に反作用して足の該第一中足骨で支えるようになるストッキングまたはソックス。
【請求項２】
前記内側の補強材（Ｃ）が前記足部（Ｐ）の後方または後外側の部分の少なくとも位置（Ｃ３）まで該足部（Ｐ）を囲み、完全にまたは部分的にかかと（Ｔ）を囲むことにおいて特徴付けられる、請求項１に記載の新規なストッキングまたはソックス（Ｎ）。
【請求項３】
一体的に前記足部（Ｐ）に取り付けられ、親指のための前記ポケット（Ａ）を囲む少なくとも一つの補強材バンド（Ｄ）を含み、前記内側の補強材（Ｃ）が該補強材バンド（Ｄ）に固定されることにおいて特徴付けられる、請求項１または２のいずれか一項に記載の新規なストッキングまたはソックス（Ｎ）。
【請求項４】
前記内側の補強材（Ｃ）はまた完全にまたは部分的に親指のための前記ポケット（Ａ）を囲むことにおいて特徴付けられる、請求項１または２のいずれか一項に記載の新規なストッキングまたはソックス（Ｎ）。
【請求項５】
残りの足指のための前記ポケット（複数）（Ｂ）から分かれた親指のみを含むためのポケット（Ａ）を含み、そこで、少なくとも一つの内側の補強材（Ｃ）は、一体的に前記足部（Ｐ）に取り付けられ、完全にまたは部分的に該ポケット（Ａ）を囲む少なくとも一つの領域またはバンドを含み、該足部（Ｐ）の前記内側の部分（Ｍ）および、該足部（Ｐ）の前記後方の部分またはかかと（Ｔ）が、該足部（Ｐ）の前記後外側または横方向の部分（Ｌ）に固定され、外反屈に反作用して該ポケット（Ａ）上で前記中足指節関節（Ｐ２）および足の前記第一中足骨に対応する内側の屈折に反作用して該内側の部分で支えるようになることにおいて特徴付けられる、請求項１〜４のいずれか一項に記載の新規なストッキングまたはソックス（Ｎ）。
【請求項６】
前記前足に対応して、前記中足指節関節（Ｐ２）の高さで前記足部（Ｐ）に一体的に取り付けられる少なくとも一つのバンドを含み、該足部（Ｐ）の前記前方の部分を完全にまたは部分的に囲みかつ覆う少なくとも一つのさらなる横の補強材（Ｅ１、Ｅ２）を含み、そこで、該前方横の補強材（Ｅ１、Ｅ２）は、該中足指節関節（Ｐ２）および該足の該第一径脈の該中足骨に対応する前記内側の部分で支えるようになり、内側の屈折に反作用することにおいて特徴付けられる、請求項１〜５のいずれか一項に記載の新規なストッキングまたはソックス（Ｎ）。
【請求項７】
前記前方横の補強材（Ｅ１）が、前記中足指節関節（Ｐ２）および前記足の前記第一径脈の前記中足骨の高さで前記足部（Ｐ）を完全に囲む輪を形成することにおいて特徴付けられる、請求項６に記載の新規なストッキングまたはソックス（Ｎ）。
【請求項８】
前記前方横の補強材（Ｅ２）が、前記中足指節関節（Ｐ２）および前記足の前記第一径脈の前記中足骨の高さで少なくとも前記内側の面の一部、前記足部（Ｐ）の背面および内面を囲むことにおいて特徴付けられる、請求項６に記載の新規なストッキングまたはソックス（Ｎ）。
【請求項９】
前記足部（Ｐ）に一体的に取り付けられる少なくとも一つのバンドを含み、前記足根の近位の中間の３番目の高さで（Ｐ１）前記足部（Ｐ）を囲みかつ覆う輪を形成し、少なくとも一つのさらなる後方横の補強材（Ｆ）を含み、そこで、前記後方横の補強材（Ｆ）は前記足の前記第一径脈の前記中足骨に対応する前記内側の部分を支えるようになり、内側の屈折に反作用することにおいて特徴付けられる、請求項１〜８のいずれか一項に記載の新規なストッキングまたはソックス（Ｎ）。
【請求項１０】
少なくとも一つの前記前方横の補強材（Ｅ１、Ｅ２）と少なくとも一つのそのような後方横の補強材（Ｆ）とを含み、そこで、該前方横の補強材（Ｅ１、Ｅ２）は該後方横の補強材（Ｆ）より強い弾性張力を有することにおいて特徴付けられる、請求項１〜９のいずれか一項に記載の新規なストッキングまたはソックス（Ｎ）。
【請求項１１】
前記中足指節関節（Ｐ２）の高さ、および、前記足根（Ｐ１）の前記近位の中間の３番目の高さで前記足部（Ｐ）に一体的に取り付けられる少なくとも一つのバンドを有し、該足部（Ｐ）を囲みかつ覆う輪を形成する少なくとも一つの横の補強材（Ｇ）を含み、そこで、該後方横の補強材（Ｇ）の正面部分は、その後方部分より強い弾性張力を有することにおいて特徴付けられる、請求項１〜１０のいずれか一項に記載の新規なストッキングまたはソックス（Ｎ）。
【請求項１２】
前記中足指節関節（Ｐ２）の高さまたはより頭方の位置で、前記足部（Ｐ）に一体的に取り付けられる少なくとも一つのバンドを有し、少なくとも該足部（Ｐ）の背部を覆い、頭尾方向/側方中央（Z）において配置された少なくとも一つの斜めの補強材（Ｈ）を含むことにおいて特徴付けられる、請求項１〜１２のいずれか一項に記載の新規なストッキングまたはソックス（Ｎ）。
【請求項１３】
前記斜めの補強材（Ｈ）は前記足部（Ｐ）を囲み、該足部（Ｐ）の末端の領域から該足部（Ｐ）の近位の領域の方へ減少する差圧で支えられるようになることにおいて特徴付けられる、請求項１２に記載の新規なストッキングまたはソックス（Ｎ）。
【請求項１４】
前記親指のための前記ポケット（Ａ）が、前記基部（Ａ３）で前記他の足指のための前記ポケット（Ｂ）から分けられ、前記内外側方向（Ｘ）の方に前記頭尾方向（Ｙ）に関して傾斜したその内側の面（Ａ２）より長い横方向の面（Ａ１）を含むことにおいて特徴付けられる、請求項１〜１３のいずれか一項に記載の新規なストッキングまたはソックス（Ｎ）。
【請求項１５】
一以上の前記補強材（Ｃ、Ｄ、Ｅ１、Ｅ２、Ｆ、Ｇ、Ｈ）が、それに対して付着して、前記足部（Ｐ）の一体の部分を形成するために、合成および／または自然の、弾力性のあるおよび／または弾力性のない繊維でできた、該足部（Ｐ）に縫われるおよび／または接着されるおよび／または一般的に取り付けられる、一以上のストリップを含むことにおいて特徴付けられる、請求項１〜１４のいずれか一項に記載の新規なストッキングまたはソックス（Ｎ）。
【請求項１６】
一以上の前記補強材（Ｃ、Ｄ、Ｅ１、Ｅ２、Ｆ、Ｇ、Ｈ）が、前記足部（Ｐ）の生地に直接織り込まれた合成および／または自然の、弾力性のあるおよび／または弾力性のない繊維で作成され、前記足の前記第一径脈の前記中足指節関節の屈折を抑制する作用を出す力線に沿って配置されることにおいて特徴付けられる、請求項１〜１５のいずれか一項に記載の新規なストッキングまたはソックス（Ｎ）。
【請求項１７】
完全にまたは部分的に殺菌されたおよび／または殺菌処理された材料でできていることにおいて特徴付けられる、請求項１〜１６のいずれか一項に記載の新規なストッキングまたはソックス（Ｎ）。
【発明の詳細な説明】
【技術分野】
【０００１】
本発明は、足の部分の自然な相互の骨関節配置を維持するために適切であるように設計された補強を有する新規なストッキングまたはソックスに関する。本発明は、外反母趾の防止および／または治療において有用である。
【背景技術】
【０００２】
外反母趾は、第一中足骨の内側の屈折を有する親指（または母指）の外反屈から構成され、足の第一径脈の中足指節関節の亜脱臼の危険性を伴う、一般に腱膜瘤と呼ばれる周知の足疾患である。
【０００３】
この疾患は、他の指から離れて本質的に第一中足骨の端に存在し、結果的に足が広げられ、中足指節関節の突出を引き起こす。
【０００４】
この広がる効果のために、母指が載置される基部は位置がずれ、足指を外へ偏向させる。
【０００５】
第一中足骨および親指はその結果として、もはや一直線に合わせられないが、それらの間で角度を形成し、局所化された足疾患につながり、さらに、全身の姿勢にも影響を有する。
【０００６】
実際に、中足指節関節がきちんと並んでいない場合、それは不均整に機能して軟骨成分の摩耗につながり、さらなる変性を誘発する炎症を引き起こし、患者に痛みを与える。
【０００７】
靴への腱膜瘤の衝撃により厄介な滑液嚢炎の症状の発現に至るので、この疾患を患う患者は普通の靴を履くことができない。母指の外反屈により、他の足指の屈曲も引き起こし、それが関節の進行性の亜脱臼につながり、完全な脱臼へ進行してしまう。
【０００８】
外反母趾のさらなる結果は、特に膝、股関節および脊柱の腰部に影響を及ぼす姿勢のずれおよび異常を含む。
【０００９】
第一中足骨の端の横方向の移動による第一径脈の関節の再調整を主に目的としている、外反母趾の治療のための多数の周知の外科的な技術が存在する。
【００１０】
外反母趾を治療する大多数の外科的手技は極めて侵襲的であり、術後経過の間患者に不快な結果および苦痛を伴い無効である。
【００１１】
機能的な拘束用包帯はまた周知であり、多くの場合、外反母趾疾患の防止および／または術後治療に使用される。
【００１２】
機能的な包帯は、部分的な固定化のみを保証する一種のバンデージであり、それらは関節の動きを妨げないが、不必要な屈折を引き起こす力に反作用する。
【００１３】
機能的な包帯の治療的な効果は主に、患者が通常自分だけで適用することができないが、資格のある人員のみによって取り扱われる特定の技術を用いたそれらの適当な適用次第である。
【００１４】
患者が前もって成形された包帯の使用に頼ることができる場合であっても、それらの適用は、高齢者および動きが限られた患者には特に複雑である。
【発明の概要】
【００１５】
本発明の目的は、一般に外反母趾と呼ばれる疾患の様々な段階の防止および／または抑制および／または治療のための、新規な弾力性のあるまたは弾力性のない前もって成形された補強ストッキングまたはソックスである。
【００１６】
本発明の主な目的は、直ちにかつ容易に適用でき、外反母趾と呼ばれる状態の病理学的屈折特徴に反作用することができる装置をユーザに提供することである。
【００１７】
本発明の他の重要な目的は、脱臼および外傷から中足指節関節を保護する一方で、特に足の第一径脈のずれに反作用することである。
【００１８】
本発明の他の重要な目的は、前足の広がりを制限し、中足骨の分離に反作用し、このことにより、正しい姿勢の導入に貢献することである。
【００１９】
本発明の別の目的は、足に差圧を及ぼし、足の内側の筋肉組織へのマッサージの実行と同様に自然の「ポンプ効果」を容易にすることである。
【００２０】
本発明の重要な利点は、機能的な拘束用包帯の実際に複雑させることなく、その結果として、資格のある人員による行為を必要とせずに、それがまるで普通のソックスのように装着されるという事実である。
【００２１】
本発明の重要な他の利点は、普通の靴を履く一方でいつでもソックスを着用することができるユーザの動作障害または苦痛も招かないということである。
【００２２】
本発明の重要な他の利点は、様々なサイズで予め包装され、結果として普通のストッキングまたはソックスのようにユーザが利用できることである。
【００２３】
これらおよび他の直接的かつ補完的な目的は、患者の足の全部または一部を覆うのに適している足部、および、場合により足関節および／または脚の一部を覆うのに適しているいかなる高さでもよい脚部を含む、外反母趾の防止および／または抑制および／または治療のための新規な前もって成形されかつ補強された弾力性のあるストッキングまたはソックスにより達成される。
【００２４】
足部の前部、すなわち足指を囲む部分は、他の足指のポケットから分かれた第１のまたは親指のためのポケットを含む。
【００２５】
ソックスは、前記足部に適用される一以上の追加的な補強材を含み、特に足の内側の一部に圧するようになり、その主要な目的は親指の外反屈および第一中足骨の内側の屈折を含むまたは妨げることである。
【００２６】
前記補強材は、合成的および／または天然の、弾力性のあるおよび／または弾力性のない繊維でできている一以上の局所化された領域またはバンドを含み、そこにおいて、前記バンドの弾力は、使用する繊維、糸のゲージ、および／または使用する繊維の特定の組合せの弾力特性次第である。
【００２７】
例えば、前記繊維は、エラストマまたは他の適切な材料でできていてもよい
【００２８】
本発明の第一実施態様によれば、前記バンドは、例えば縫い目および／または接着剤および／またはソックスの足部分への一体的な接着を確実にするための他の手順によって、足部に一般的に適用される弾力性のあるおよび／または弾力性のない材料の一以上のストリップを含む。
【００２９】
可能なさらなる実施態様によれば、前記バンドは直接足部の生地に織り込まれる。すなわち、それらは、足部の生地に織り込まれ、第１の足根の中足指節関節の抑制動作に特に支えるようにされる力線に沿って配置される複数の合成的および／または天然の、弾力性のあるおよび／または弾力性のない繊維を含む。
【００３０】
さらに詳しく説明すると、新規なストッキングまたはソックスは以下に内側の補強材と呼ぶ、親指を含みかつ少なくともソックスの足部分の内側の面を覆うため前記ポケットに固定され、中足指節関節のちょうど上で少なくとも足根の前内側の３番目まで母指の基部から少なくとも伸びる、少なくとも一つの第１補強材を含む。
【００３１】
例えば、前記バンドは、完全にまたは部分的に後部またはかかとを囲むために伸びることができる、または、それに対して安定して固定されるソックスの足部分の横方向の面にさえ伸びることができる。
【００３２】
新規なソックスが着用される場合、前記内側の補強材はポケットに挿入される親指を固定し、その上に中央に足指を偏らせる力を適用し、したがって、横に偏向する外反母趾の病理学的傾向に反作用する。
【００３３】
前記内側の補強材も第一中足骨の内側の屈折に反作用し、それを抑え、反対の横方向に力を出す。
【００３４】
基本的には、前記内側の補強材は、指節骨と第一中足骨との間のずれを抑えかつ反作用し、一方で、足の第一径脈の中足指節関節の靭帯被膜も補強して、その亜脱臼を防ぐのを助ける目的に役立つ。
【００３５】
内側の補強材のさらなる機能は、第一径脈の中足指節領域を様々な種類の外傷から保護することであり、またとりわけ滑液嚢炎の発症を妨げる趣旨を有する。
【００３６】
前記内側の補強材に加えて、新規なソックスはまた、親指のための前記ポケットの周りの完全なまたは部分的な輪で少なくともその前部を覆う、または、ポケットの全長を覆う本質的にバンドから構成されるさらなる補強材または母指補強材を含むことができる。
【００３７】
前記母指補強材の目的は、本質的に前記内側の補強材のより強い固定を可能にすることであり、それにより、親指を第２の足指から分けるのを助け、さらに内側の方向に親指を移動する。
【００３８】
本発明の他の実施態様によれば、新規なソックスは、以下に前方横の補強材と呼ばれる、完全にまたは部分的にソックスの足部分の前の部分を囲む他の補強材を含む。特に、前記前方横の補強材は、少なくとも足部の前部分の内側の面周辺で重なり合い、中足指節関節の高さで、前足と一致する。前記前方横の補強材はまた、完全にまたは部分的に足部の前方の背面、および、足部の内面を囲むことができる。
【００３９】
あるいは、前記前方横の補強材は、足部の前方周辺で輪において完全に重なり合うことができる。
【００４０】
前方横の補強材の主な目的は、特に足の第一径脈の中足骨の内側の屈折に反作用するように、前記内側の補強材と相乗作用で効力を生じさせることであり、このことにより、親指の中足指節関節の亜脱臼を抑制する。前記前方横の補強材もまた前記内側の補強材を正しい位置に保ち、患者の足におけるソックスの適当な位置決めを容易にする。
【００４１】
前記前方横の補強材および前記内側の補強材も、足の内側の筋肉組織を強くして抑える目的に役に立つ
【００４２】
前記前方横の補強材に加えてまたはその変わりとして、新規なソックスはまた、足根の近位の内側の３番目の高さで足部周辺において輪で完全に重なり合う後方横の補強材を含むことができる。
【００４３】
完全または部分的な前方横の補強材のように、前記後方横の補強材は、それが内側の補強材の位置を制御しかつ維持するので足におけるソックスの適当な位置決めを導くのを助ける。
【００４４】
後方横の補強材はまた足の第一径脈の内側の屈折に反作用する目的に役に立ち、前足が広げられる傾向を防ぎ、一方で足の筋肉組織上に弾力性の抑制作用を及ぼし、その結果としてマッサージ効果を有する。
【００４５】
新規な補強されたソックスは、前記前方および後方補強材の両方とも含むことができる。その場合には、足において差圧を出すように前記前方補強材が前記後方補強材より突っ張っているように設計される。特に、前方補強材は、歩く行為の間に足を刺激するため後方補強材よりも強い圧力を出し、いわゆる「ポンピング効果」を容易にし、足の内側の筋肉組織をマッサージする。
【００４６】
実際、歩く行為の間のバンドの効果のために強調される母指の内側の変位と共に、近位部分と比較して足の末端部への段階的に強くなる圧力の適用は、サポート・ソックスまたは包帯よりも強力なリンパ排出効果を有する。
【００４７】
さらなる実施態様によれば、前記前方および後方横の補強材は、中足指節関節および近位の内側の足根の３番目の高さで足部周辺において輪で覆う単一のより広い補強材に一緒に組み合わせられる。前記一体になった横の補強材は、前述したように足に沿って差圧を出すように差動的な弾力を有する。
【００４８】
新規なソックスはまた、（上述の横の補強材の場合）横方向に導かれないが、斜めに頭尾/側方中央方向に導かれる力を支えるようになる一以上のさらなる斜めの補強材を含み、ソックスの足部分の背部上で特に中足指節関節の高さで少なくとも配列されるように設計されることができる。
【００４９】
さらに、これらの斜めの補強材はまた、リンパ排出作用を容易にするため、足の末端の領域から減少する差圧を足の近位領域の方へ足に出すように設計される。
【００５０】
（側方中央方向の力を支えるようにされる）前記横の補強材および（頭尾方向／側方中央方向の力を支えるようにされる）前記斜めの補強材作用の合計が側方中央方向でない方向にその屈折を起こす合力を親指に発生させるのを防ぐため、親指のための前記ポケットは、例えば、一以上の以下の方法を用いた特定の方法で成形される。
【００５１】
特に親指のための前記ポケットは横の面を含む、すなわち、その内側の面より長い他の足指のためのポケットの方に面する。
【００５２】
足指の二つのポケット、すなわち、親指のための前記ポケット、および、残りの足指のための前記ポケットは、互いに数ミリメートル離れた距離に置かれ、互いに関してゼロではない鋭角を形成するように配置される。
【００５３】
このように、親指が正しくソックスの足部分のポケットに挿入される場合、他の足指から内側の方向において分けられる位置を占めなければならず、前記補強材により耐えられる力の結果により、親指が横に偏向すること防ぎ、その代わりに内側方向に偏向させるようになる。
【００５４】
新規なソックスは、補強材が、足部の生地に安定して取り付けられるまたは直接織り込まれ、常にそれらが足に正しい効果を有することができるように正しい位置のままであるので、前もって成形され、すぐ履ける。
【００５５】
新規なソックスは結果として、補強材においていかなる動作を取ることなく普通のストッキングまたはソックスのように着用されることができ、したがって、資格のある人員により適用される必要がある機能的な拘束用包帯の適用の複雑さの問題を解決することができる。
【００５６】
ソックスが限られた厚みであり、足の普通の可動性と干渉せず。さらに、履いている履物との摩擦から中足指節関節を保護するので、新規なソックスのユーザは普通の履物を履くことができる。
【００５７】
特に、それがいかなる屈折の進行にも反作用するので、新規なソックスは限られた変形の場合極めて有用である。また、中足指節関節足の第一径脈の保護を助けるので、痛みを伴う症候の場合に軽減させることができる。
【００５８】
新規なソックスはまた足の中心部分での安定したグリップを提供し、径脈の広がり（すなわち、中足骨の内側および横方向の屈折）を妨げ、歩行の間足への荷重を再バランスし、人の全身の姿勢に必然的に肯定的な効果を有する。
【００５９】
さらに、新規なストッキングまたはソックスは、最高状態の衛生を保証するために滅菌および殺菌された材料で作成されることができる。例えば、新規なソックスはソックスのために使用される生地に銀繊維を含むことができ、その銀繊維はその効果に抗菌性を有すると知られている。ソックスはまた、特定の専用物質を用いて消毒剤で処理されることができる。
【００６０】
本発明の特徴は、非制限的な例として添付される図面を参照して以下の説明からより明白になる。
【図面の簡単な説明】
【００６１】
【図１】図１は、足部（Ｐ）が、他の足指のためのポケット（複数）（Ｂ）から分けられる親指のための少なくとも一つのポケット（Ａ）を含むソックス（Ｎ）の背部の一部を示す。
【図２ａ】図２ａは、２つの可能な実施態様により足部（Ｐ）に内側の補強材（Ｃ）のみが一体的に取り付けられる新規なソックス（Ｎ）の背部の一部を示す。
【図２ｂ】図２ｂは、２つの可能な実施態様により足部（Ｐ）に内側の補強材（Ｃ）のみが一体的に取り付けられる新規なソックス（Ｎ）の背部の一部を示す。
【図３】図３は、一体的に足部（Ｐ）に取り付けられる母指補強材（Ｄ）のみを有する新規なソックス（Ｎ）の背部の一部を示す。
【図４】図４は、内側の補強材（Ｃ）が足部（Ｐ）に一体的に取り付けられる位置でのソックスの内側の面（Ｍ）および後ろの外側の面（Ｌ）をそれぞれ示す。
【図５】図５は、内側の補強材（Ｃ）が足部（Ｐ）に一体的に取り付けられる位置でのソックスの内側の面（Ｍ）および後ろの外側の面（Ｌ）をそれぞれ示す。
【図６】図６は、内側（Ｃ）、母指（Ｄ）および、前方横の（Ｅ１、Ｅ２）補強材がそれぞれ完全である（Ｅ１）、すなわち足部（Ｐ）周辺でリングを形成するものと、部分的な（Ｅ２）ものである、新規なソックス（Ｎ）の背部の一部を示す。
【図７】図７は、内側（Ｃ）、母指（Ｄ）および、前方横の（Ｅ１、Ｅ２）補強材がそれぞれ完全である（Ｅ１）、すなわち足部（Ｐ）周辺でリングを形成するものと、部分的な（Ｅ２）ものである、新規なソックス（Ｎ）の背部の一部を示す。
【図８】図８は、内側（Ｃ）、母指（Ｄ）、および、完全な後方横の（Ｆ）補強材を有する新規なソックス（Ｎ）の背部の一部を示す。
【図９】図９および１０は、内側（Ｃ）、母指（Ｄ）完全な後方横（Ｆ）、および、前方横の（Ｅ１、Ｅ２）補強材がそれぞれ完全である（Ｅ１）ものと、部分的な（Ｅ２）ものである、新規なソックス（Ｎ）の背部の一部を示す。
【図１０】図９および１０は、内側（Ｃ）、母指（Ｄ）完全な後方横（Ｆ）、および、前方横の（Ｅ１、Ｅ２）補強材がそれぞれ完全である（Ｅ１）ものと、部分的な（Ｅ２）ものである、新規なソックス（Ｎ）の背部の一部を示す。
【図１１】図１１は、内側の図を示す。
【図１２】図１２は、内側（Ｃ）、母指（Ｄ）および一体の横の（Ｇ）補強材を有し、近位の中間の足根の３番目（Ｐ１）および中足指節関節（Ｐ２）の高さでこれらが足部（Ｐ）を囲むリングを形成した、新規なソックス（Ｎ）の背部の一部を示す。
【図１３】図１３は、頭尾方向/側方中央方向（Z）の前記内側の補強材（Ｃ）に関して傾斜して配置される斜めの補強材（Ｈ）を有する、新規なソックス（Ｎ）の背部の一部を示す。この図はまた、第２の足指のためのポケット（Ｂ）に関して親指のためのポケット（Ａ）の特定の可能な成形および配置を示す。
【発明を実施するための形態】
【００６２】
弾力性のあるまたは弾力性のない材料でできている、新規な前もって成形されたストッキングまたはソックス（Ｎ）は、他の足指のためのポケット（Ｂ）から分けられる親指のためのポケット（Ａ）を有する足部（Ｐ）を含む。
【００６３】
図１３の実例によれば、親指のための前記ポケット（Ａ）は、その内側の面（Ａ２）より長い他の足指のためのポケット（Ｂ）に面する横方向の面（Ａ１）を明らかに含む。
【００６４】
さらに、変形例としてまたは前の特徴と共に、親指のための前記ポケット（Ａ）および残りの足指のための前記ポケット（Ｂ）は互い（Ａ３）に数ミリメートル分けられ、互いに関してゼロではない鋭角を形成するように配置され、親指のための前記ポケット（Ａ）は、遠位側部方向（Ｘ）において頭尾方向（Ｙ）に関してわずかに傾斜している。
【００６５】
図２Ａに示すように、新規なソックス（Ｎ）は、親指のための前記ポケット（Ａ）に固定され、および、ポケット（Ａ）の基部で少なくとも一つの位置（Ｃ１）から前内側の足根骨の３番目の領域に対応する少なくとも一つの位置（Ｃ２）までソックスの足部分の内側の面（Ｍ）に影響を及ぼす少なくとも一つの内側の補強材（Ｃ）を含む。
【００６６】
前記内側の補強材（Ｃ）はまた、図５に示されるように、かかと（Ｔ）の全部または一部、または、足部（Ｐ）の横方向の面（Ｌ）の中間の位置（Ｃ３）を囲むために伸びることができる。
【００６７】
あるいは、前記補強材（Ｌ）はまた、図２ｂに示すように完全にまたは部分的に前記ポケット（Ａ）周辺で重なり合うように、親指のための前記ポケット（Ａ）の横方向の面（Ａ１）の位置（Ｃ４）に固定されることができる。
【００６８】
前記内側の補強材（Ｃ）は、内外側方向（Ｘ）において対応するポケット（Ａ）に挿入される親指を支えるように力をもたらし、一方で、足の内側の面上の側方中央の方向（すなわち反対方向）において効力を生じ、中足指節関節（Ｐ２）と一致される。
【００６９】
新規なソックス（Ｎ）はまた、親指のための前記ポケット（Ａ）の周りの完全なまたは部分的な輪を覆う本質的にバンドから構成されるさらなる母指補強材（Ｄ）を含むことができる。
【００７０】
図６に示されるさらなる可能な実施態様において、新規なソックス（Ｎ）は、中足指節関節（Ｐ２）の高さで前足に対応している足部（Ｐ）の正面を完全に囲む前方横の補強材（Ｅ１）を含む。
【００７１】
図７に示される可能な実施態様において、前記前方横の補強材（Ｅ２）は部分的に足部（Ｐ）を囲み、中足指節関節（Ｐ２）の高さで少なくとも内側の面（Ｍ）の一部を覆う。
【００７２】
図８に示される可能な実施態様において、さらに前記前方横の補強材（Ｅ１）または（Ｅ２）の変形例として、新規なソックス（Ｎ）は、足根の３番目（Ｐ１）の近位の中間の高さで足部（Ｐ）を完全に囲む輪を形成する後方横の補強材（Ｆ）を含む。
【００７３】
新規な補強されたソックス（Ｎ）はまた、図９および１０に示すように、一以上の前記前方（Ｅ１、Ｅ２）および後方（Ｆ）補強材またはその両方を含むことができる、または、図１２に示すように、前記前方および後方横の補強材は、単一のより広い補強材（Ｇ）に組み合わされ、中足指節関節（Ｐ２）および足根の３番目（Ｐ１）の近位の中間の高さで足部（Ｐ）を囲む輪を形成することができる。
【００７４】
図１３に示される解決法において、変形例として、または、一以上の前記前方横（Ｅ１、Ｅ２）または後方（Ｆ）、または、より広い（Ｇ）補強材の組合せで、新規なソックス（Ｎ）はまた、特に中足指節関節（Ｐ２）の高さで少なくとも足部（Ｐ）の背部の一部を覆うように設計され、前記内側の補強材（Ｃ）に関して、すなわち頭尾方向/側方中央方向（Z）の傾斜位置で配置された一以上の斜めの補強材（Ｈ）を含むことができる。
【００７５】
したがって、上記の説明および実例の内容に関して、以下の請求項が提出される。
【図１】
2010518898.tif 000003
【図２ａ】
2010518898.tif 000004
【図２ｂ】
2010518898.tif 000005
【図３】
2010518898.tif 000006
【図４】
2010518898.tif 000007
【図５】
2010518898.tif 000008
【図６】
2010518898.tif 000009
【図７】
2010518898.tif 000010
【図８】
2010518898.tif 000011
【図９】
2010518898.tif 000012
【図１０】
2010518898.tif 000013
【図１１】
2010518898.tif 000014
【図１２】
2010518898.tif 000015
【図１３】
2010518898.tif 000016
【国際調査報告】
2010518898.tif 000017
2010518898.tif 000018
2010518898.tif 000019